(57)【特許請求の範囲】
【請求項１】
車上無線局を備えた複数の移動体と無線通信を行う複数の無線通信手段から受信する複数の受信データを記録タイミング毎に記憶するとともに、前記複数の受信データを復調処理する受信処理部から、前記記録タイミングに同期して、復調処理された複数の復調データに付与されたシンボル番号と、該複数の復調データを特定する復調シンボルとを入力し、前記記録タイミングに対応させて前記シンボル番号と前記復調シンボルを保存するテーブルを作成する信号記録部を備え、前記記録タイミングに同期して復調処理された前記複数の復調データと、当該記録タイミングにおける前記複数の受信データとを対応付けて表示する通信解析サーバを備えたことを特徴する無線通信装置。
【請求項２】
前記受信処理部が、前記受信データの１シンボル分を復調したタイミングで前記シンボル番号と前記復調シンボルを前記テーブルへ出力することを特徴とする請求項１に記載の無線通信装置。
【請求項３】
前記シンボル番号は、前記受信データを復調した順に付加された番号であることを特徴とする請求項１に記載の無線通信装置。
【請求項４】
前記受信処理部は、復調処理された復調データを復号する復号部を備え、前記受信処理前の受信データの１シンボル分を復調したタイミングで、前記復調シンボルを前記テーブルへ出力するとともに、前記復号部が１ビットを復号したタイミングで該復号ビットのビット番号を前記テーブルへ出力することを特徴とする請求項３に記載の無線通信装置。
【請求項５】
前記ビット番号は、前記復号部が１ビットの復号を行う度に、復号した順に付与されたものであることを特徴とする請求項４に記載の無線通信装置。
【請求項６】
前記信号記録部はメモリコントローラとメモリとを有し、前記メモリコントローラは、前記受信タイミングに応じて、前記メモリが前記受信データを記録するアドレスをサイクリックに指定するとともに、該受信タイミングで前記テーブルを作成するテーブル作成部へ出力することを特徴とする請求項４に記載の無線通信装置。
【請求項７】
前記テーブルを作成するテーブル作成部は、前記受信処理部から前記シンボル番号と前記復調シンボルが入力された時点で、前記受信タイミングをシンボルタイミングとして記録するとともに、前記復号部から前記ビット番号と前記復号ビットが入力された時点で、前記受信タイミングをビットタイミングとして記録し、前記記録タイミングに対応させて、前記シンボルタイミングと前記ビットタイミングをテーブルへ保存することを特徴とする請求項４に記載の無線通信装置。
【請求項８】
前記受信処理部はエラー判定部を有しており、前記シンボルタイミングと前記ビットタイミングが出力された時点で、前記エラー判定部が、前記復号ビットがエラーか正常かを判定し、この判定結果を前記テーブル作成部へ出力することを特徴とする請求項７に記載の無線通信装置。
【請求項９】
前記テーブル作成部は、前記エラー判定結果がビットエラーだった場合のみ、前記シンボルタイミングと前記シンボル番号と前記復調シンボルと前記ビットタイミングと前記ビット番号と前記復号ビットを記録し、前記エラー判定結果が正常だった場合は、前記シンボルタイミングと前記シンボル番号と前記復調シンボルと前記ビットタイミングと前記ビット番号と前記復号ビットを破棄することを特徴とする請求項８に記載の無線通信装置。
【請求項１０】
前記テーブルから通信解析を行い、前記解析結果に基づいて前記無線通信手段の配置または個数を変更することを特徴とする請求項１に記載の無線通信装置を有する移動体システム。
【発明の詳細な説明】
【技術分野】
【０００１】
本発明は、無線通信装置、特に産業プラント及び移動体システム等に好適な無線通信装置に関する。
【背景技術】
【０００２】
産業プラントや移動体システムに利用される無線通信装置においては、様々な外的要因によって、無線信号の受信状況が変化するため、これを解析し、通信障害の要因を詳細に分析したり、安定した通信が行われるよう、効果的な対策を採る必要がある。
無線信号の受信状況を解析するための技術を記載した文献として、下記の特許文献１〜特許文献４がある。【０００３】
特許文献１に記載の無線通信装置は、無線区間の検査装置、無線区間と有線区間の検査結果を解析して表示する検査システムに関するもので、無線区間の検査装置、無線区間と有線区間の検査結果を解析して表示する検査システムに関する技術が開示され、Ｉ／Ｆ部１１０は、ユーザから指示された検査対象の通信端末装置を示す端末ＩＤ情報、解析／表示装置４００から出力された無線パラメータを示す情報（無線パラメータ情報）が入力され、無線パラメータ情報は、各無線パラメータを時刻情報と対応付けてリスト化する技術が開示されている。【０００４】
特許文献２に記載の無線通信装置は、無線通信を行う無線データ通信システムにおいて、特に機器設置後の電波環境の監視を行う技術に関するもので、受信アンテナ１１を通して受信した無線信号は復調手段１２で受信データに復調され、受信した時間と受信データの内容とを後に解析できるように、受信側時計手段１４で計測された時刻と受信データとを受信側記録手段１５に記録することが開示されている。【０００５】
特許文献３に記載の無線通信装置は、無線受信装置の測定データを容易に取得し、その受信特性を評価する受信特性評価システムに関する技術に関するもので、測定データは、復号されたテスト項目識別符号とこれら日時情報、バージョン情報とに関連付けられ、メンテナンス・ツール２０に送られて、この測定データ記憶部２１に同じ測定データが、テスト項目識別符号、日時情報及びバージョン情報とともに、保存されることが示されている。【０００６】
特許文献４に記載の無線通信装置は、無線局間の無線通信を中継する無線通信システムにおける中継局装置及び無線通信方法に関するもので、無線局から受信した情報を記憶する記憶部１２を備え、記憶部１２は情報を記憶する際、その情報の種別、及び無線局から送信された情報を区別する送信元情報を、情報と関連付けて記憶する技術が開示されている。
【先行技術文献】
【特許文献】
【０００７】
【特許文献１】特開２００５−３２８１３２号公報
【特許文献２】特開平９−２８４２３６号公報
【特許文献３】特開２００５−１４２７３６号公報
【特許文献４】特開２０１１−１７１８４９号公報
【発明の概要】
【発明が解決しようとする課題】
【０００８】
これらの先行技術においては、通信結果や電波環境を、復調された受信データに基づいて評価することを基本としており、受信側で実際に受信した復調前のデータと、これを復調することにより得られる復調データの内容とを関連付けて解析していない。
このため、復調データにより得られる受信タイミングに基づいて、受信した無線信号の受信状況、通信障害の要因を高精度に解析することができず、通信品質を低下させる要因を正確に分析ができないという問題がある。【０００９】
そこで、本発明の目的は、無線信号を受信して受信処理を行う無線受信装置において、受信処理前の受信データと受信処理後の復調データとを、受信データの受信タイミングに対応付けたテーブルに記録することにより、受信した無線信号の受信状況や通信障害の要因を高精度に解析することにある。
【課題を解決するための手段】
【００１０】
上記課題を解決するために、例えば特許請求の範囲に記載の構成を採用する。
本願は上記課題を解決する手段を複数含んでいるが、その一例を挙げるならば、車上無線局を備えた複数の移動体と無線通信を行う複数の無線通信手段から受信する複数の受信データを記録タイミング毎に記憶するとともに、これら複数の受信データを復調処理する受信処理部から、記録タイミングに同期して、復調処理された複数の復調データに付与されたシンボル番号と、該複数の復調データを特定する復調シンボルとを入力し、記録タイミングに対応させて前記シンボル番号と復調シンボルを保存するテーブルを作成する信号記録部を備え、記録タイミングに同期して復調処理された複数の復調データと、当該記録タイミングにおける複数の受信データとを対応付けて表示する通信解析サーバを備えるようにした。
【発明の効果】
【００１１】
本発明によれば、受信処理前の受信データと、受信処理後の復調データと、前記受信データの受信タイミングと前記復調データのビット番号とを対応付けたテーブルとを記録部に記録でき、無線信号の受信状況を受信タイミングレベルで高精度に解析することができる。上記した以外の課題、構成及び効果は、以下の実施例の説明により明らかにされる。
【図面の簡単な説明】
【００１２】
【図１】図１は移動体システムの例を示す図である。
【図２】図２は移動体システムの例を示す図である。
【図３】図３は産業プラントの例を示す図である。
【図４】図４は無線受信装置の機能構成例を示す図である。
【図５】図５は無線受信装置の処理動作例を示すタイミングチャートである。
【図６】図６は無線受信装置の処理動作例を示すテーブルである。
【図７】図７は無線受信装置の機能構成例を示す図である。
【図８】図８は無線受信装置の処理動作例を示すタイミングチャートである。
【図９】図９は無線受信装置の処理動作例を示すテーブルである。
【図１０】図１０は無線受信装置の外観構成例を示す図である。
【図１１】図１１は無線受信装置の機能構成例を示す図である。
【図１２】図１２は無線受信装置の処理動作例を示すタイミングチャートである。
【図１３】図１３は無線受信装置の処理動作例を示すテーブルである。
【図１４】図１４は無線受信装置の外観構成例を示す図である。
【発明を実施するための形態】
【００１３】
以下の実施の形態においては、便宜上その必要があるときは、複数のセクションまたは実施の形態に分割して説明する。また、各実施の形態において、要素の数等（個数、数値、量、範囲等を含む）に言及する場合、特に明示した場合及び原理的に明らかに特定の数に限定される場合等を除き、その特定の数に限定されるものではなく、特定の数以上でも以下でもよい。なお、以下の実施の形態において、その構成要素（処理ステップ等も含む）は、特に明示した場合及び原理的に明らかに必須であると考えられる場合等を除き、必ずしも必須ではない。
【００１４】
また、以下の実施の形態における各構成、機能、処理部、処理手段等は、それらの一部又は全部を、例えば集積回路その他のハードウェアとして実現してもよい。
また、後述する各構成、機能、処理部、処理手段等は、コンピュータ上で実行されるプログラム、すなわち、ソフトウェアにより実現してもよい。各構成、機能、処理部、処理手段等を実現するプログラム、テーブル、ファイル等の情報は、メモリやハードディスク、ＳＳＤ（Solid State Drive）等の記憶装置、ＩＣカード、ＳＤカード、ＤＶＤ等の記憶媒体に格納することができる。
【実施例】
【００１５】
以下、本発明の実施の形態を図面に基づいて詳細に説明する。なお、実施の形態を説明するための全図において、同一の機能を有する部材には同一または関連する符号を付し、その繰り返しの説明は省略する。また、以下の実施の形態では、特に必要なとき以外は同一または同様な部分の説明を原則として繰り返さない。【００１６】
［実施例１］
［システム構成］
図１に、本発明の無線通信装置を移動体システムに適用した、実施例１の全体構成例を示す。
この移動体システムは、通信解析サーバ１０１、ディプレイ等に表示される通信解析結果１０２、地上無線局１０３、地上無線中継局１０４及び１０５、ダンプトラック１０６及び１０７から構成される。ダンプトラック１０６及び１０７は車上無線局を搭載している。通信解析サーバ１０１と地上無線局１０３は、通信ケーブルで接続されている。地上無線局１０３と、地上無線中継局１０４及び１０５は、無線通信を行い、また、地上無線局１０３、地上無線中継局１０４及び１０５は、ダンプトラック１０６及び１０７と無線通信を行う。なお、ダンプトラック１０６及び１０７同士でも、車上無線局どおしで無線通信を行う。【００１７】
［処理動作・効果］
本実施例に係る無線通信装置では、地上無線局―地上無線中継局間、地上無線局―車上無線局間、車上無線局―車上無線局間の移動体システムにおける各無線通信において、受信処理前の受信データと受信処理後の復調データ、これに加えて、復調データを復号した際のビット番号を、受信データの記録タイミングとを対応付けて、通信解析サーバ１０１のディスプレイに表示させる。
すなわち、例えば、地上無線局１０３においては、通信解析サーバ１０１が地上無線中継局１０４を経由して受信データを受信した際、内部のクロック信号に基づいて、記録タイミングを設定して、この記録タイミング毎に、受信データを記憶装置に格納する。
一方、地上無線局１０３の受信処理部においては、記録タイミングに同期して受信データの復調処理がなされ、記録タイミング毎に、復調処理により復調されたシンボルに対して、復調された順にシンボル番号を付加し、このシンボルを特定する復調シンボルが出力され、受信タイミング毎に、このシンボル番号と復調シンボルとが対応付けられたデーブルが作成される。【００１８】
このテーブルに基づいて通信解析が行われ、例えば、図１の１０２に示すように、通信解析サーバ１０１のディスプレイに通信解析結果が表示される。
この例のように、記録タイミングに基づいて、復調データの一部のハイライトされたビット（この例では、復調ビット列の「ABC4」）と、この記録タイミングにおける受信データとの対応関係が視覚的に表示される。
これにより、通信結果を表す復調データと、通信状態を表す受信データを、内部のクロック信号により定まる記録タイミング毎に対応付けることができ、例えば、特定の復調ビット列に対応する受信データのレベルが著しく低下している場合には、この記録タイミングにおいて、受信状態が極端に悪化していることを判別することができる。【００１９】
こうした解析結果により、例えば、特定の記録タイミングにおけるダンプトラック１０６の位置では、地上無線中継局１０４との間に、通信を阻害する障害物があることなどが判明し、地上無線中継局１０４を再配置したり、新たな地上無線中継局を追加するなどにより、ダンプトラック１０６、１０７の移動範囲全域にわたり、安定した通信を確保することが可能になる。特にこうした移動体システムにおいては、工事の進行等に応じて地上無線中継局の設置個所が頻繁に変更されるため、上述のように、通信状態の変動をモニターできることが安定した通信を維持管理する上できわめて有効である。【００２０】
［実施例２］
［システム構成］
図２に、本発明の無線通信装置を鉄道車両の運行制御システムに適用した実施例２の移動体システムの全体構成例を示す。
この運行制御システムは、通信解析サーバ２０１、通信解析結果２０２、中継装置２０３、地上無線局２０４及び２０５及び２０６、鉄道列車２０７から構成される。通信解析サーバ２０１と中継装置２０３は、通信ケーブルで接続されている。地上無線局２０４及び２０５及び２０６は、鉄道列車２０７に搭載された車上無線局と無線通信を行う。【００２１】
［処理動作・効果］
本実施例に係る無線通信装置では、地上無線局―車上無線局間の無線通信において、実施例１と同様の処理を行うことで、通信結果を表す復調データと、通信状態を表す受信データを、内部のクロック信号により定まる記録タイミング毎に対応付けることができる。この通信解析結果２０２を、図２に示すように、通信解析サーバ２０１のディスプレイ等に表示することにより、運行制御システムにおける無線通信状態を解析することができる。特に、鉄道車両の運行制御システムにおいては、事故発生時の原因究明が重要であり、本実施例によって、その前後における通信状態を記録タイミングを基準にして解析し、無線通信の障害要因を特定することができる。【００２２】
［実施例３］
［システム構成］
図３に、本形態例に係る産業プラントの全体構成例を示す。本産業プラントは、通信解析サーバ３０１、通信解析結果３０２、プラント３０３及び３０６、地上無線局３０４及び３０５から構成される。通信解析サーバ３０１とプラント３０３は、通信ケーブルで接続されている。地上無線局３０４及び３０５は、互いに無線通信を行う。【００２３】
［処理動作・効果］
本形態例に係る産業プラントは、地上無線局―地上無線局間の無線通信において、実施例１と同様の処理を行うことにより、表示の一例として、通信解析結果３０２に示すように、記録タイミングに基づいて、復調データの一部のハイライトされたビットと、この記録タイミングにおける受信データとの対応関係が視覚的に表示される。
このように、復調データの一部のハイライトされたビットと対応する受信データのタイミングを対応付けて、視覚的に表示することにより、通信結果を表す復調データと、通信状態を表す受信データを対応付けることができる。
特に、産業プラントにおいては、無線伝搬の障害となる金属製の構造物が多い環境であることから、局所的に無線伝搬環境が劣悪になるため、本発明によって通信状態を常時確認することが重要である。【００２４】
［実施例４］
［装置構成］
図４に、実施例１〜３のシステムに利用される無線通信装置のより詳細な機能構成の例を示す。図４に示す無線通信装置は、アンテナ４０１、ＲＦ部４０２、ＡＤＣ部４０３、受信処理部４０４、信号記録部４０５から構成され、信号記録部４０５は、メモリ４０６、テーブル４０７から構成される。
アンテナ４０１で受信した受信データは、ＲＦ部４０２でダウンコンバージョンされ、ＡＤＣ部４０３によるデジタルサンプリング処理を経て、デジタルデータ化された受信データ４０８となる。受信処理部４０４は、この受信データ４０８に対して復調処理を行い、シンボル番号４０９と復調シンボル４１０を出力する。【００２５】
ここで、シンボル番号４０９とは、復調されたシンボル毎に、復調された順番で付けられた連続番号であり、復調シンボル４１０は、復調されたシンボルを特定するため、復調処理によって得られた情報である。
シンボル番号４０９及び復調シンボル４１０は、１つのシンボルが復調されたタイミングで出力される。例えば、ＱＰＳＫ(直交位相シフトキーイング)の場合、１シンボルで２ビット４状態をπ／４毎の位相に割り当てる構成となっており、１シンボル分の受信データである２ビット４状態が復調される度に、シンボル番号がカウントアップされ、復調処理によって得られた復調ビット列を、４シンボル番号毎に割り振って復調シンボルとしている。【００２６】
受信データ４０８は、信号記録部４０５へも入力され、メモリ４０６に記録される。このとき、受信データ４０８が１サンプルずつメモリ４０６に記録されるたびに、その記録タイミングをテーブル４０７へ出力する。
テーブル４０７は、シンボル番号４０９及び復調シンボル４１０が入力されたときに、その時点の記録タイミング値を保存し、記録タイミング値毎にシンボル番号４０９と復調シンボル４１０を保存する。
この一連の動作により各記録タイミング値毎に、復調データのシンボル番号４０９と復調シンボル４１０とを対応付けたテーブル４０７が作成され、受信処理前の受信データ４０８と受信処理後の復調データとを対応付けることができる。【００２７】
［処理動作・効果］
以上に説明した処理動作例の詳細を、図５に示す。受信データを記録し続ける間、クロック信号に同期したタイミング値はカウントアップされる。受信処理部４０４は受信データに対して復調処理を行い、１シンボルが復調された時点で、シンボル番号４０９と、復調シンボル４１０をテーブルへと追記する。
また、その時点でのタイミング値をテーブルへと追記する。図６は、テーブルの一例を示しており、タイミング値、シンボル番号４０９、復調シンボル４１０の３項目を１行にまとめ、対応付けて記録する。例えば、受信データのタイミングが７の記録タイミングにおいては、シンボル番号４０９が１で、復調シンボル４１０は１＋１＊ｊであったと対応付けることができる。以上のとおり、実施例４に係る装置構成によれば、無線通信の状態を解析する目的が異なる複数のシステムにとって利便性の高い無線通信装置を提供することができる。【００２８】
［実施例５］
［装置構成］
図７に実施例５の無線通信装置を示す。
この無線通信装置は、アンテナ７０１、ＲＦ部７０２、ＡＤＣ部７０３、ＡＧＣ部７０４、同期部７０５、復調部７０６、復号部７０７、受信バッファ部７０８、信号記録部７０９、テーブル作成部７１０、信号保存部７１１から構成される。
アンテナ７０１で受信した受信データは、ＲＦ部７０２でダウンコンバージョンされ、ＡＤＣ部７０３でデジタルサンプリングされデジタルデータ化された受信データ７１２となる。ＡＧＣ部７０４は、受信データ７１２のレベル調整を行う。同期部７０５は、受信データ７１２の周波数同期とタイミング同期を行う。【００２９】
復調部７０６は、復調処理を行い、シンボル番号と復調シンボルを含むシンボル情報７１３を出力する。シンボル番号とは、復調されたシンボル毎に、復調された順番で付けられた連続番号であり、復調シンボルは、復調処理によって得られた情報である。これらを含むシンボル情報７１３は、１つのシンボルが復調される度に出力される。
復号部７０７は、復号処理を行い、ビット番号７１４をテーブル作成部７１０に、復号ビット７１５を受信バッファ部７０８にそれぞれ出力する。ビット番号７１４とは、復号された複数のビットに、復号された順番で付けられた番号であり、復号ビット７１５は、復号処理によって得られた情報である。【００３０】
ビット番号７１４及び復号ビット７１５は、１つのビットが復号されたタイミングで出力される。受信バッファ部７０８は、復号ビット７１５を格納する。また、受信データ７１２は、信号記録部７０９へも入力され、メモリ７１６へ記録される。受信データ７１２がメモリ容量を超えて記録される場合、メモリアドレスコントローラ７１７を設け、メモリアドレスをサイクリックに指定することで上書き記録する。
またメモリアドレスコントローラ７１７は、受信データ７１２がメモリ７１６へ１サンプルずつ記録されるたびに、その記録タイミングをテーブル作成部７１０へ出力する。テーブル作成部７１０は、シンボル番号と復調シンボルを含むシンボル情報７１３、ビット番号７１４及び復号ビット７１５が入力されたときに、その際の記録タイミング値を保存し、これらを対応付けて保存する。【００３１】
この一連の動作により、記録タイミング毎に、受信データ７１２、シンボル番号と復調シンボルを含むシンボル情報７１３、そして、復号処理によって得られたビット番号７１４を対応付けたテーブルを作成することができる。【００３２】
［処理動作・効果］
以上に説明した実施例５の処理動作例の詳細を図８に示す。
ＡＤＣ部４０３でデジタルサンプリングされた受信データを記録し続ける間、クロック周波数に同期したタイミング値はカウントアップされる。１シンボルが復調された時点で、シンボル番号と復調シンボルを含むシンボル情報７１３に含まれるをテーブルへと追記する。また、１ビットが復号された時点で、ビット番号と、復号ビットをテーブルへと追記する。またその時点でのタイミング値をビットタイミングとしてテーブルへと追記する。【００３３】
図９は、テーブルの一例を示している。シンボルタイミング、シンボル番号、復調シンボル、ビットタイミング、ビット番号、復号ビットの６項目を１行にまとめ、対応付けて記録する。例えば、受信データのシンボルタイミングが７の箇所においては、シンボル番号が１で、復調シンボルは１＋１＊ｊであり、ビットタイミングが１２で、ビット番号が１、復号ビットが０であった、と対応付けることができる。【００３４】
図１０は、本実施例に係る構成例を示しており、無線通信装置１００１と、結果表示部１００２から構成される。結果表示部１００２は、ビット列１００３と受信データ１１０４を表示しており、ビット列１００３内のハイライトされている箇所のビットが、受信データ１００４のある特定の箇所と対応付けられることを、視覚的に表示している。この表示結果は、図９のテーブル情報を元にして作成することができる。以上のとおり、形態例５に係る装置構成によれば、無線通信の状態を解析する目的が異なる複数のシステムにとって利便性の高い無線通信装置を提供することができる。【００３５】
［実施例６］
［装置構成］
図１１に、実施例６の無線通信装置を示す。図１１に示す無線通信装置は、アンテナ１１０１、ＲＦ部１１０２、ＡＤＣ部１１０３、ＡＧＣ部１１０４、同期部１１０５、復調部１１０６、復号部１１０７、エラー判定部１１０８、信号記録部１１０９、テーブル作成部１１１０、信号保存部１１１１から構成される。
アンテナ１１０１で受信した受信データは、ＲＦ部１１０２でダウンコンバージョンされ、ＡＤＣ部１１０３でデジタルサンプリングされ、デジタルデータ化された受信データ１１１２となる。ＡＧＣ部１１０４は、受信データ１１１２のレベル調整を行う。同期部１１０５は、受信データ１１１２の周波数同期とタイミング同期を行う。【００３６】
復調部１１０６は、復調処理を行い、シンボル番号と復調シンボルを含むシンボル情報１１１３を出力する。シンボル番号とは、復調された複数のシンボルに、復調された順番で付けられた番号である。復調シンボルは、復調処理によって得られた情報である。これらを含むシンボル情報１１１３は、１つのシンボルが復調されたタイミングで出力される。復号部１１０７は、復号処理を行い、ビット番号と復号ビットを含むビット情報１１１５を出力する。
ビット番号とは、復号された複数のビットに、復号された順番で付けられた番号である。復号ビットは、復号処理によって得られた情報である。これらを含むビット情報１１１５は、１つのビットが復号されたタイミングで出力される。エラー判定部１１０８は、復号ビットのビットエラーの有無を判定し、結果を出力する。【００３７】
また受信データ１１１２は、信号記録部１１０９へも入力される。入力された受信データ１１１２は、メモリ１１１６へ記録される。受信データ１１１２がメモリ容量を超えて記録される場合は、メモリアドレスコントローラ１１１７がメモリアドレスをサイクリックに指定することで、上書き記録する。またメモリアドレスコントローラ１１１７は、受信データ１１１２がメモリ１１１６へ１サンプルずつ記録されるたびに、その記録タイミングをテーブル作成部１１１０へ出力する。テーブル作成部１１１０には、シンボル番号と復調シンボルを含むシンボル情報１１１３、ビット番号と復号ビットを含むビット情報１１１５が入力され、さらにエラー判定部１１０８からビットエラーの通知を受け取ったときに、その記録タイミング値を保存し、これらを対応付けて保存する。
この一連の動作により、ビットエラー判定だった場合にのみ、受信処理前の受信データ、受信処理後の復調データ、受信データの受信タイミング、そして、復調データのビット番号とを対応付けたテーブルを作成することができる。【００３８】
［処理動作・効果］
以上に説明した処理動作例の詳細を、図１２に示す。受信データを記録し続ける間、タイミング値はカウントアップされる。１シンボルが復調された時点で、シンボル情報１１１３に含まれるシンボル番号と復調シンボルをテーブルへと追記する。また、１ビットが復号された時点で、ビット番号と、復号ビットをテーブルへと追記する。またその時点でのタイミング値をテーブルへと追記する。そして、復号ビットがエラー判定だったとき、追記したテーブル情報を保存する。復号ビットが正常判定だった場合、追記したテーブル情報を破棄する。これにより、エラービットに関する情報のみを、取捨選択して保存することがきる。図１３は、テーブルの一例を示している。シンボルタイミング、シンボル番号、復調シンボル、ビットタイミング、ビット番号、復号ビットの６項目を１行にまとめ、対応付けて記録する。例えば、受信データのシンボルタイミングが７の箇所においては、シンボル番号が１で、復調シンボルは１＋１＊ｊであり、ビットタイミングが１２で、ビット番号が１、復号ビットが０であった、と対応付けることができる。【００３９】
図１３に示すテーブルには、図１２で示した処理動作の結果、エラービットに関する情報のみが保存される。これにより、膨大な受信データ情報の中から、通信エラーとなった原因に関する情報のみを取捨選択することができ、また記録容量を大幅に削減することができる。
図１４に、本形態例に係る構成例を示しており、無線通信装置１４０１と、結果表示部１４０２から構成される。結果表示部１４０２は、ビット列１４０３と受信データ１４０４を表示しており、ビット列１４０３内のエラービットの箇所がハイライトされており、受信データ１４０４のある特定の箇所と対応付けられることを、視覚的に表示している。この表示結果は、図１３のテーブル情報を元にして作成することができる。
以上のとおり、実施例６に係る装置構成によれば、無線通信の状態を解析する目的が異なる複数のシステムにとって利便性の高い無線通信装置を提供することができる。
【符号の説明】
【００４０】
１０１  通信解析サーバ
１０２  通信解析結果
１０３  地上無線局
１０４、１０５  地上無線中継局
１０６、１０７  ダンプトラック
２０１  通信解析サーバ
２０２  通信解析結果
２０３  中継装置
２０４、２０５、２０６  地上無線局
２０７  鉄道列車
３０１  通信解析サーバ
３０２  通信解析結果
３０３、３０６  プラント
３０４、３０５  地上無線局
４０１  アンテナ
４０２  ＲＦ部
４０３  ＡＤＣ部
４０４  受信処理部
４０５  信号記録部
４０６  メモリ
４０７  テーブル
４０８  受信データ
４０９  シンボル番号
４１０  復調シンボル
４１１  記録タイミング
７０１  アンテナ
７０２  ＲＦ部
７０３  ＡＤＣ部
７０４  ＡＧＣ部
７０５  同期部
７０６  復調部
７０７  復号部
７０８  受信バッファ部
７０９  信号記録部
７１０  テーブル作成部
７１１  信号保存部
７１２  受信データ
７１３  シンボル情報
７１４  ビット（番号）（情報）
７１５  復号ビット
７１６  メモリ
７１７  メモリアドレスコントローラ
１００１  無線通信装置
１００２  結果表示部
１００３  ビット列
１００４  受信データ
１１０１  アンテナ
１１０２  ＲＦ部
１１０３  ＡＤＣ部
１１０４  ＡＧＣ部
１１０５  同期部
１１０６  復調部
１１０７  復号部
１１０８  エラー判定部
１１０９  信号記録部
１１１０  テーブル作成部
１１１１  信号保存部
１１１２  受信データ
１１１３  シンボル情報
１１１５  ビット情報
１１１６  メモリ
１１１７  メモリアドレスコントローラ
１４０１  無線通信装置
１４０２  結果表示部
１４０３  ビット列
１４０４  受信データ
【図１】
0005820937.tif 000002
【図２】
0005820937.tif 000003
【図３】
0005820937.tif 000004
【図４】
0005820937.tif 000005
【図５】
0005820937.tif 000006
【図６】
0005820937.tif 000007
【図７】
0005820937.tif 000008
【図８】
0005820937.tif 000009
【図９】
0005820937.tif 000010
【図１０】
0005820937.tif 000011
【図１１】
0005820937.tif 000012
【図１２】
0005820937.tif 000013
【図１３】
0005820937.tif 000014
【図１４】
0005820937.tif 000015